(57)【要約】【課題】構内ＰＨＳのミートミ会議通話における異常状態のＰＨＳ端末に対する再呼出方法に関する。【解決手段】構内ＰＨＳのミートミ会議通話に参加しているＰＨＳ端末３のうち、オンフック操作することなくミートミ会議通話からの接続が切断されたＰＨＳ端末３ｎに対する再呼出しにおいて、構内ＰＨＳを構成する主制御装置１の再呼出しに係るメモリ部に再呼出回数エリアを設け、この再呼出回数エリアに所要の再呼出回数を設定し、接続が切断されたＰＨＳ端末３ｎへの再呼出しを行い、ＰＨＳ端末３ｎが再呼出設定回数以内の再呼出しによりミートミ会議通話に復帰したとき、又はＰＨＳ端末３ｎが再呼出設定回数の再呼出しによってもミートミ会議通話に復帰しないときは、ＰＨＳ端末３ｎへの再呼出しを停止するようにしたことを特徴とする構内ＰＨＳのミートミ会議通話における再呼出方法。【選択図】      図２
2006324719.tif 000002
【特許請求の範囲】
【請求項１】
構内ＰＨＳのミートミ会議通話に参加しているＰＨＳ端末のうち、オンフック操作することなく前記ミートミ会議通話からの接続が切断されたＰＨＳ端末に対する再呼出しにおいて、
前記構内ＰＨＳを構成する主制御装置の再呼出しに係るメモリ部に再呼出回数エリアを設け、該再呼出回数エリアに所要の再呼出回数を設定し、前記接続が切断された前記ＰＨＳ端末への再呼出しを行い、該ＰＨＳ端末が前記再呼出設定回数以内の再呼出しにより前記ミートミ会議通話に復帰したとき、又は前記ＰＨＳ端末が前記再呼出設定回数の再呼出しを行っても前記ミートミ会議通話に復帰しないときは、前記ＰＨＳ端末への再呼出しを停止するようにしたことを特徴とする構内ＰＨＳのミートミ会議通話における再呼出方法。
【請求項２】
前記再呼出回数エリアに設定された再呼出回数の検出は、前記接続が切断された前記ＰＨＳ端末への再呼出しを行う毎に前記再呼出設定回数から１を減算し、設定された前記再呼出設定回数が零になったとき再呼出設定回数に到達したものとする請求項１に記載の構内ＰＨＳのミートミ会議通話における再呼出方法。
【請求項３】
前記主制御装置の再呼出しに係る前記メモリ部に再呼出間隔エリアを設け、該再呼出間隔エリアに所要の再呼出時間間隔を設定し得るようにし、前記再呼出しの間隔を所要の時間間隔に変更できるようにしたことを特徴とする請求項１又は２に記載の構内ＰＨＳのミートミ会議通話における再呼出方法。
【請求項４】
前記主制御装置の再呼出しに係る前記メモリ部に再呼出有無フラグエリアを設け、該再呼出有無フラグエリアの第１エリアを再呼出無し、第２エリアを再呼出回数の制限有り、第３エリアを再呼出回数の制限無しとし、必要に応じて前記再呼出有無フラグエリアの第１エリア乃至第３エリアを選択できるようにしたことを特徴とする請求項１，２又は３に記載の構内ＰＨＳのミートミ会議通話における再呼出方法。
【発明の詳細な説明】
【技術分野】
【０００１】
本発明は、ＰＨＳ（Personal Handyphone System：簡易型携帯電話システム）を使用した構内通話システム（以下構内ＰＨＳという）における招集型会議通話、参加型会議通話、一斉通報等のグループ通話の会議通話のうち特に参加型会議通話（ミートミ会議通話）に関し、ミートミ会議通話参加者のＰＨＳ端末への再呼出方法に関するものである。
【背景技術】
【０００２】
構内ＰＨＳの全体的構成の概略図を図３に示す。図３において１は交換機能を含む主制御装置、２ａ…２ｎは主制御装置１に接続された無線基地局、３ａ，３ｂ…３ｎは無線基地局２を介して主制御装置１に接続されるＰＨＳ端末、４はＰＨＳ端末３ａに接続されたデータ端末であり、その各種データを必要に応じてＰＨＳ端末３ａの送信機能を通して主制御装置１に送信するものである。５は各ＰＨＳ端末３の位置表示端末、６はサーバ、７ａ…７ｎは構内通信設備として接続された電話機、８は保守コンソールであり、それぞれ交換機能を含む主制御装置１に接続されている。
【０００３】
この構内ＰＨＳにおいては、ミートミ会議通話の機能を有するものである。ミートミ会議通話とは、図４に示すように予めグループ通話可能な座席数（参加人数）を決めておき、その架空会議室９（主制御装置１の図示していない会議トランクに該当する。）の座席が満杯になるまで、ＰＨＳ端末３ａ〜３ｎから特番（特定のダイヤル）として、例えば＃９０を操作することにより、誰でもその会議に参加することができる機能である。具体的な使用方法としては、例えば工場の作業者同士でグループを作り、作業中は常時ミートミ会議通話状態にしておき、全員が同じ情報を共有しながら作業を行うなど、極めて有効な機能である（例えば、特許文献１参照）。
【特許文献１】特開２００１−２８６３１号公報
【発明の開示】
【発明が解決しようとする課題】
【０００４】
このミートミ会議通話においては、会議通話中に無線状態の変化やＰＨＳ端末３の電池切れ、或いはＰＨＳ端末３の誤操作などにより、ＰＨＳ端末３が正常な操作であるオンフックによる終話を行わないで接続が切断された場合には、図５に示すように主制御装置１から当該ＰＨＳ端末３に呼出信号を送信する再呼出しを行う機能を有している。即ち、ミートミ会議通話に参加しているＰＨＳ端末３ａ〜３ｎのうち、ＰＨＳ端末３ｎが無線状態の変化等により無線切断が生じた場合は、主制御装置１からＰＨＳ端末３ｎに再呼出しが行われる。
【０００５】
しかし、この再呼出しの機能は、当該ＰＨＳ端末３が再度ミートミ会議通話に参加するか、ミートミ会議通話の参加者が全員終話した場合に停止されるものであが、無線切断による再呼出しに当該ＰＨＳ端末３が反応し得ないケースが多く、再参加に至らない場合が多い。特に２４時間稼動で交替制勤務を行う工場では、このような状態が同時発生しやすく、参加者が全員終話しないミートミ会議通話の状態で放置されると、再呼出しが永久的に繰り返されることになり、再呼出しによる無線基地局２の制御チャネルが頻繁に使用されるため、他の通話が繋がりにくくなるという問題があった。
本発明は、この再呼出しの呼出回数を制限することによって、前述した他の通話への影響を解消するようにしたものである。
【課題を解決するための手段】
【０００６】
本発明による構内ＰＨＳによるミートミ会議通話における再呼出方法は、構内ＰＨＳのミートミ会議通話に参加しているＰＨＳ端末のうち、オンフック操作することなく前記ミートミ会議通話からの接続が切断されたＰＨＳ端末に対する再呼出しにおいて、
前記構内ＰＨＳを構成する主制御装置の再呼出しに係るメモリ部に再呼出回数エリアを設け、該再呼出回数エリアに所要の再呼出回数を設定し、前記接続が切断された前記ＰＨＳ端末への再呼出しを行い、該ＰＨＳ端末が前記再呼出設定回数以内の再呼出しにより前記ミートミ会議通話に復帰したとき、又は前記ＰＨＳ端末が前記再呼出設定回数の再呼出しを行っても前記ミートミ会議通話に復帰しないときは、前記ＰＨＳ端末への再呼出しを停止するようにしたことを特徴とするものである。
【発明の効果】
【０００７】
本発明は、従来のミートミ会議通話における無制限的な再呼出により、他の通話が繋がりにくくなるという問題点を、運用状況に合わせて再呼出回数を設定できるようにして解決したものであり、ミートミ会議通話の効率化に寄与するものである。
【発明を実施するための最良の形態】
【０００８】
本発明は、図３に示した主制御装置１に設けられているメモリ部のうち、図１に示したＥＥＰＲＯＭ（不揮発性半導体メモリ）エリアイメージのアドレス（Ｅ００ＢＦＢ番地）の所定位置、即ちＡは再呼出有無フラグエリアとして、再呼出無し（７４Ｈ），再呼出し有り（７４Ｈ以外），（デフォルト（出荷時）は、再呼出し有りとする。）を設定する。Ｂは再呼出回数エリアとして、呼出回数を例えば、１〜２５４回（００〜ＦＥＨ）を設定するが、呼出回数を無制限（ＦＦＨ）に設定することも出来るようにしてもよい。なお、このＢエリアの再呼出回数の値は、再呼出有無フラグエリアの値が再呼出し有り（７４Ｈ以外）のときだけ有効となる。Ｃは再呼出間隔エリアとして、呼出間隔を例えば、０〜１５秒（０〜０ＦＨ）を設定する。この各エリアへの設定は、図３に示した保守コンソール８から設定する。
【０００９】
前述のＥＥＰＲＯＭへの再呼出しに係る各設定条件に基づく再呼出処理方法を説明する。ミートミ会議通話において会議参加のＰＨＳ端末３の何れかが無線切断となり、再呼出し状態が発生すると、主制御装置１のＥＥＰＲＯＭに設定された再呼出回数及び再呼出間隔で呼出しが開始される。再呼出に関する各設定により対象となるＰＨＳ端末３に送信される再呼出信号の一例を表１に示す。
【００１０】
【表１】
2006324719.tif 000003
【００１１】
表１の再呼出しに関する設定例に基づき、主制御装置１における再呼出しの具体的な処理工程を図２に示したフローチャート図により説明する。
Ｓ０１でミートミ会議中に何れかのＰＨＳ端末３に異常終話（無線切断）が発生したことを検出し、この状態をＳ０２で再呼出有無フラグは７４Ｈ（再呼出無し）か否かを判断して、７４Ｈが（Ｙ＝Ｙｅｓ）（再呼出無し）であればＳ０７のＲＥＴで終了となる。この場合には、表１の項番２に示すようにＳ０４の再呼出回数を例えば２回に設定してあっても、Ｓ０２で再呼出有無フラグは７４Ｈかが（Ｙ）であるため、Ｓ０４の設定回数に関係なく終了となる。
【００１２】
Ｓ０２で再呼出有無フラグは７４Ｈかが（Ｎ＝Ｎｏ）（再呼出有り）であれば、Ｓ０３で再呼出回数設定は００〜ＦＥＨ（回数設定有り）か否かを判断して、００〜ＦＥＨが（Ｙ）（回数設定有り）であればＳ０４で再呼出設定回数分呼出しを行ったか否かを判断する。Ｓ０４での再呼出設定回数分呼出しを行ったかが（Ｎ）、即ち項番４のように再呼出設定回数が５回に設定してある場合であって、その最初の再呼出しであれば、Ｓ０５で当該ＰＨＳ端末３へ再呼出信号を送信する。この再呼出信号の間隔は、例えば項番４に記載してあるように１５秒間隔であれば、Ｓ０５の再呼出信号の送信処理時のタイマー（図示していない）を予め１５秒に設定する。
【００１３】
この再呼出信号の送信後にＳ０６で当該ＰＨＳ端末３はミートミ会議通話に参入したか否かを検出して、参入したかが（Ｙ）であればＳ０７のＲＥＴで終了となる。ミートミ会議通話に参入したかが（Ｎ）であればＳ０３に戻り、再呼出回数設定は００〜ＦＥＨかが（Ｙ）（回数設定有り）であることから、Ｓ０４で再呼出設定回数分呼出しを行ったか否かを再び判断する。Ｓ０４での再呼出しを行った回数が設定回数に達したか否かの判断は、例えばＳ０４に予め設定してある再呼出設定回数Ｘから、Ｓ０４での判断毎に１を減算（Ｘ−１＝Ｘ' ）して行き、Ｘ' ＝０となった時点に再呼出設定回数分呼出しを行ったかが（Ｙ）になり、Ｓ０７のＲＥＴで呼出信号の送信を停止し終了となる。即ち、表１の項番４のように再呼出設定回数が５回に設定してあれば、再呼出回数を５回行ってもミートミ会議通話に参入しなければ、再呼出しを終了する。
【００１４】
なお、表１の項番５に記載してあるようにＳ０３の再呼出回数設定は００〜ＦＥＨかが（Ｎ）（無制限）であれば、Ｓ０５で当該ＰＨＳ端末３に対して１０秒間隔で再呼出信号を送信する。この再呼出信号の送信後にＳ０６で当該ＰＨＳ端末３はミートミ会議通話に参入したか否かを検出して、参入したかが（Ｙ）であればＲＥＴのＳ０７で終了となる。ミートミ会議通話に参入したかが（Ｎ）であればＳ０３に戻り、再呼出回数設定は００〜ＦＥＨかが（Ｎ）であることから、ミートミ会議通話に参入したかが（Ｙ）になるか、或いはミートミ会議自体が終了するまで、Ｓ０３→Ｓ０５→Ｓ０６→Ｓ０３を繰り返す。
【００１５】
前述したフローチャート図の説明においては、再呼出回数の検出を再呼出回数設定値から減算して、当該設定値が零になったとき設定された回数の再呼出しが行われたと判断して再呼出しを停止するように説明したが、Ｓ０４での判断回数を加算して行き、その判断回数が設定回数と一致したとき設定された回数の再呼出しが行われたと判断するようにしてもよい。
【産業上の利用可能性】
【００１６】
本発明は、構内ＰＨＳにおける複数のＰＨＳ端末による会議通話に際しての再呼出しに適用することができる。
【図面の簡単な説明】
【００１７】
【図１】本発明における再呼出に係る各設定項目のＥＥＰＲＯＭエリアのイメージ図である。
【図２】本発明における再呼出処理の一例を示すフローチャート図である。
【図３】本発明に係る構内ＰＨＳの構成の一例を示すブロック図である。
【図４】構内ＰＨＳにおけるミートミ会議通話への参加の概念図である。
【図５】構内ＰＨＳのミートミ会議通話における再呼出しの概念図である。
【符号の説明】
【００１８】
１  主制御装置
２  無線基地局
３  ＰＨＳ端末
４  データ端末
５  ＰＨＳ端末の位置表示端末
６  サーバ
７  電話機
８  保守コンソール
９  架空会議室
【図１】
2006324719.tif 000004
【図２】
2006324719.tif 000005
【図３】
2006324719.tif 000006
【図４】
2006324719.tif 000007
【図５】
2006324719.tif 000008